【手続補正書】
【提出日】平成19年10月8日(2007.10.8)
【手続補正１】
【補正対象書類名】明細書
【補正対象項目名】全文
【補正方法】変更
【補正の内容】
【発明の詳細な説明】
【発明の名称】鉄筋かぶり用、万能器具
【技術分野】
【０００１】《鉄筋かぶり用、万能器具、》、とは建築及び土木工学の中での工事部門。鉄筋コンクリート構造物の鉄筋組み立て作業時、一定の間隔を保ち続ける器具の事である。即ち鉄筋コンクリート構造物の中の鉄筋から構造物の表面までの一定の間隔、（かぶり厚）を簡単に且つ確実に又安価に出来る器具の事である。本発明はボルト、ナット、長い座金、鉄筋等を利用しプラスチック、合成ゴム等の圧縮、酸化に強く、弾性力のある物質で製造した、キャップ、或いは簡単に装着パット、或いは防錆処理塗装したボルト、ナット、で《鉄筋かぶり厚》を一定の間隔を保ち続ける、形になっている。但し（鉄筋、ボルト、ナット、自体が強化プラスチック等であれば防錆処理する必要は無い。必要十分条件、即ち強固で安価）
【背景技術】
【０００２】従来、《鉄筋かぶり用、の器具、》は用途に合せる事により種類が多い、又構造的にも弱く、安価では無い。
【発明を実施するための最良の形態】
【０００３】本発明は建築及び土木工学の中での《鉄筋かぶり用、の器具、》専門用語《バーサポート、スペーサー》とは水平に配置された、鉄筋の位置を保持するために底面の型枠に置く組み立て用、副資材を（バーサポート）、側面の型枠と鉄筋の間隔を保つ副資材を（スペーサー）と呼ぶ従来は両者ともに（スペーサー）と呼んでいたが、最近では重量を受ける、物を（バーサポート）受けない物を（スペーサー）と明確に分けている、両者の役割が違うからである。《バーサポート、スペーサー》はコンクリートが硬化すれば役目は終えるが硬化したコンクリートは鉄筋コンクリート造の耐久性、つまり建物の寿命を左右する。言い換えれば、《バーサポート、スペーサー》の適切な使用は建築主の財産価値を保つ重要用件となる《バーサポート、スペーサー》の保有すべき性能は組み立てられた、鉄筋の所定位置の保持、支える鉄筋に対する、耐重量性、コンクリートと同等以上の耐久性などである。《バーサポート、スペーサー》は打ち込まれた、コンクリートと一体となり、構造物の一部となるので所定の強度が必要な事は言うまでもない。《バーサポート、スペーサー》はコンクリート打設の際、粗骨材の充てんや通過が容易な形状の物が望ましい、従来までの《バーサポート、スペーサー》は種類が多い、は別図、〔図３３〕に簡単に説明。  又構造物に弱いは〔図９〕〜〔図１２〕お呼び〔０００５〕に簡単に説明。
【発明の開示】
【発明の効果】
【０００４】本発明の《鉄筋かぶり用、万能器具、》は《バーサポート》の役目として、（普通のボルト、ナット）、長い座金、鉄筋を利用する事で、（かぶり厚さ）は自由自在、強度は抜群である、形状はシンプルで粗骨材の充てんや通過が容易である。種類は少なく、安価。安定度は抜群である。
【発明が解決しようとする課題】
【０００５】＊従来までの、（スペーサー）の弱点を一つ掲げる。鉄筋コンクリート構造物を建設する際に生コンクリート打設があるが、その前に清掃を行う、その時に鉄筋を組み立て終わった上で、高圧洗浄機で洗浄する、又コンクリート打設時も人が上がって作業する等で鉄筋が曲がったり、型枠ベニヤ、鉄板が歪む、直射日光の要因もあり、鉄筋と型枠の間隔が一定では無くなる。同じ大きさの（スペーサー）では、下図の様になる。2008157002.tif 000001
上図の様に片寄った加重が掛かり（スペーサー）が潰れる、割れる、他の（スペーサー）に荷が掛かる事はあるがコンクリート打設時の圧力で流される等で、確率は少ない。型枠ベニヤは、生コンクリートの重さで、元に戻るが（スペーサー）は割れたり、外れたりして、鉄筋の（かぶり厚）が無くなり鉄筋が表面近くに出て、早い物では半年で鉄筋の錆が表面に出る。十年もすれば、爆裂を起こす。従来までの鉄筋コンクリート構造物の老朽化の主な原因を箇条書きすると！＊１番目  鉄筋の酸化による爆裂（スペーサー）が８０％前後＊２番目  コンクリート打設時の打ち継ぎ面の工法。＊３番目  東海地震からの鉄筋量だけが、異常に増えて生コンクリートの粗骨材より、鉄筋の間隔、が小さくなり、生コンクリートの流れが悪く空洞及び、粗骨材とコンクリートが分離、その結果、雨漏り、そして爆裂。＊４番目  見た目の重視、格好良さで、構造的に重視してない建築物、コンクリートの打ち継ぎ、及び鉄筋が集中する箇所が多く出来る＊３番目と同様である。  ＊２番目のコンクリートの打ち継ぎは、新幹線の崩落事故があるが、打ち継ぎ面のコンクリートの灰汁を取り除き、速やかに、コンクリート打設を行う。生コンクリートは３時間前後で、固まり始める。その上から同じ生コンクリートを打設しても、コンクリートは、分離して固まる、即ち表面の凹凸で維持している、様なものである。長年の振動で、崩落する確率は高くなる。建築構造物の場合も同じでそこから雨漏り、そして爆裂。＊社会一般では、３０年〜４０年、前後の鉄筋コンクリート構造物は老朽化、雨漏りそして爆裂した。構造物は少なくは無い。構造物自体が地震に対応出来ない状態である。又２０〜３０年の住宅ローンを払い終わり、又新築或いは修理するのに住宅ローンを払うのは、酷である。鉄筋コンクリート構造物はコンクリートは１００年前後まで硬化して、表面からから風化されると言われている。  ？即ち１００年以上コンクリートの表面に塗装、及び、タイル張り等（多少の呼吸も必要である）で保護すれば、何百年も維持出来るであろう。現代では、酸性雨が降る等で、アルカリ性のコンクリートの保護する等に良い。（塩分の含有量？）＊本発明の《鉄筋かぶり用、万能器具、》は強度、安定度は抜群、種類は少なく、安価、多種多様に使用出来る。以下〔図面の簡単な説明〕及び其々の〔図？〕に記する。
【図面の簡単な説明】
【図１】《鉄筋かぶり用、万能器具、》〔正面図〕の姿図（通常のボルト、ナット、長い座金に、シルクハット状のキャップを装着）
【図２】《鉄筋かぶり用、万能器具、》〔正面図〕の姿図（全ネジボルトに防錆処理塗装）の姿図。
【図３】通常のボルト、ナット、Ｍ１６−１００ｍｍ〜２００ｍｍ及びＭ１２−１００ｍｍ〜１５０ｍｍの姿図。
【図４】《鉄筋かぶり用、万能器具、》の部品、長ワッシヤーの斜視図（厚みは１．６〜３．２ｍｍ長さは５０ｍｍ前後で構造に余裕のある大きさ？）
【図５】鉛筆とキャップの姿図。鉛筆を鉄筋に例えて〔図６〕以降のキャップは簡単な〔図〕で事を済ます、目論見の、姿図。
【図６】
2008157002.tif 000002
2008157002.tif 000003
【図７】現場サイトの地盤或いは建築スラブ保温材（発砲スチロール）等軟らかい、場合は（シルクハット状のキャップ）では下に減り込むので、〔図７〕１〜３頁はパット装着の図。髭を付けてＤ−１６Φ〜Ｄ−１９Φ−兼用（ボルトＭ−１６〜Ｍ２０−兼用）の図  厚みは５ｍｍ前後髭の大きさ等、寸法、素材は？金型及び製造の過程、多少異なる。必要十分条件、即ち強固で安価。
【図８】素材が強化プラスチック、パットは弾力性のあるプラスチック、１頁は〔左右の側面図〕の装着した姿図。２頁は〔正面図〕〔背面図〕〔Ａ−Ａ断面詳細図〕及び〔Ｂ−Ｂ断面詳細図〕は（Ｄ−１０Φ〜Ｄ−１３Φ−兼用ボルト、Ｍ１０−Ｍ１２−兼用）を取り付けられる形になっている。３頁の〔Ｃ−Ｃ断面詳細図〕は〔Ｂ−Ｂ断面詳細図〕を更に詳しくした断面図。４頁は長ワッシヤーの詳細図である。素材がプラスチックであるので構造的に弱い場所に１０ｍｍの厚みを設けた図である。５頁は３ｍｍ厚みを設けた図である。（Ｄ−１０Φ〜Ｄ−１３Φ−兼用）である。（Ｄ−１０Φ〜Ｄ−１３Φの径は少し大きめ？）この《鉄筋かぶり用、万能器具、》は主に土間スラブ、勾配の付いた、１５０ｍｍ厚のスラブに使用。ボルトはキャップとして、パットは（Ｄ−１０Φ〜Ｄ−１３Φ−兼用）で其々で使用出来る。
【図９】主に建築の基礎の鉄筋の配筋図。杭と低盤の絡み図面は水平であるが、現実は凹凸が極端である。従来までの（スペーサー）では片寄り、割れる、潰れる、外れる、等がある。そこで（バーサポート）の代わりでＤ−１３Φ２．８５０ｍｍを８本使用し〔図１〕、〔図７〕の《鉄筋かぶり用、万能器具、》を配置し取り付けた、位置図。（又、設計通りの寸法、位置に微調整出来る。）
【図１０】は〔図９〕の詳細図に従来までの（スペーサー）を取り付けた図。
【図１１】従来までの（スペーサー）の姿図。
【図１２】《鉄筋かぶり用、万能器具、》を取り付けた姿図。
【図１３−１】一般的な土木基礎（橋脚）の鉄筋配筋図。
【図１３−２】−２−は鉄筋一本、一本の重量が重たいので、そこで最初の段取りとして《鉄筋かぶり用、万能器具、》を取り付ける、ための位置図、及び詳細図。〔図９〕の続きで《バーサポート、》の代わりでＤ１６Φ  ７．８５０ｍｍの長さを１２本と主筋（Ｆ−６）６本を組み立てた平面図である。総重量は４１５ｋｇあるがＡ通りから順番、即ち端から〔図７〕の《鉄筋かぶり用、万能器具、》を一本、づつ取り付ける、間隔は１８００ｍｍ程度に仮止めした後（かぶり厚）及び所定の位置で二重ナットを締めて固定する。９００ｍｍの間隔で間入れて完成。ナットを締める場合は指で軽く締めるだけで可也の重量を上下させる力があるので要注意。主筋がＤ−３５Φ以上−Ｄ５１Φは人の力では無理である。その場合は主筋《バーサポート》代わり適度の段取り筋を使用。後クレーン等組み立て。以上。段取り筋の配置図、及び詳細図。
【図１４】は鉄筋の加工及び鉄筋の簡単な性質を現した説明と図。
【図１５】は建築構造図の中での、（庇）バルコニー、梁、（床）スラブの鉄筋配筋図（断面図）。に《鉄筋かぶり用、万能器具、》（バーサポート）の代わりにスラブの厚みが異なるので其々▲１▼▲２▼▲３▼の形に鉄筋を加工、キャップを装着し其々の位置に固定した、姿図。
【図１６】は建築構造図の中での階段の配筋図（断面図）イナズマ筋の寸法が２００ｍｍと３００ｍｍ▲Ａ▼はＤ−１０Φ片アンカ２１０ｍｍの寸法にキャップを装着し図の様に取り付けて、（かぶり厚）を３０ｍｍ取った様子。▲Ｂ▼は主筋に添えて結束線で結束して（かぶり厚）取った様子、又階段の鉄筋組み立て完了時、人が上に上がっても壊れにくく丈夫である。
【図１７】は建築構造図の中での基礎梁の《バーサポート、スペーサー》標準配置の図（平面図）
【図１８】は建築構造図の中での基礎梁の《バーサポート、スペーサー》標準配置の図（立面図）に《鉄筋かぶり用、万能器具、》を取り付けた、姿図。
【図１９】は建築構造図の中での基礎梁の上に載る土間スラブの断面図に《バーサポート、スペーサー》標準配置図、に〔図８〕の《鉄筋かぶり用、万能器具、》を取り付けた。姿図。
【図２０】は〔図１９〕の（平面図）である。
【図２１】は土間スラブ（配筋図）に〔図８〕の《鉄筋かぶり用、万能器具、》を取り付けた状態の姿図。《土間スラブの組み立て方》一般のスラブと同様に組み立てるには、段取りが必要。土間スラブはピッチが打ちにくい、結束がし難い、足元が良くない、等を解決するには、先ずは配筋図ピッチを配力筋及び主筋に必要な本数を並べて打つ〔図１３〕と同じであるが広さスケールが違う場合はトランシット等でレベル矩が自分の思う位置が早く簡単に出るので、段取りをする際は便利である。
【図２２】は建築構造図の中でのラーメン構造の柱と壁の配筋図に《バーサポート、スペーサー》として鉄筋を加工或いはスポット溶接をしてキャップを装着した所の姿図。
【図２３】は建築構造図の中でのラーメン構造の一般階の梁の図に《バーサポート、スペーサー》の標準配置図。それと《鉄筋かぶり用、万能器具、》の取り付け方の詳細図
【図２４】は高速道路の姿図。
【図２５】は〔図２４〕の▲１▼−▲１▼の合成桁の断面図の詳細図に〔図８〕の《鉄筋かぶり用、万能器具、》を取り付けた、姿図。
【図２６】は大きさは異なるが〔図２５〕の合成桁の断面図を横から見た姿図。
【図２７】は〔図２４〕の▲２▼−▲２▼の断面図の詳細図に〔図８〕の《鉄筋かぶり用、万能器具、》を取り付けた姿図。
【図２８】は〔図２４〕▲３▼−▲３▼の断面図の詳細図に〔図８〕の《鉄筋かぶり用、万能器具、》及び巾止めと片アンカにキャップを装着し其々取り付けた姿図。
【図２９】は〔図２４〕のボックス＆カルバートのウイングの詳細図〔図１〕＆〔図８〕の《鉄筋かぶり用、万能器具、》及び寸法が合う用に鉄筋を加工した物にキャップ装着し其々取り付けた姿図。
【図３０】は鉄筋構造物内部の断面図に《鉄筋かぶり用、万能器具、》を取り付けた、姿図とその説明文。
【図３１】は高速道路の上を跨ぐアーチ橋の姿図。
【図３２】は〔図３１〕アーチ橋に《鉄筋かぶり用、万能器具、》の取り付け方の説明、鉄筋の主筋の方向により異なる。？
【図３３】は従来までの《スペーサー》の種類の簡単な説明と姿図。
【手続補正２】
【補正対象書類名】図面
【補正対象項目名】全図
【補正方法】変更
【補正の内容】
【図１】
2008157002.tif 000004
【図２】
2008157002.tif 000005
【図３】
2008157002.tif 000006
【図４】
2008157002.tif 000007
【図５】
2008157002.tif 000008
【図６】
2008157002.tif 000009
【図７−１】
2008157002.tif 000010
【図７−２】
2008157002.tif 000011
【図７−３】
2008157002.tif 000012
【図８−１】
2008157002.tif 000013
【図８−２】
2008157002.tif 000014
【図８−３】
2008157002.tif 000015
【図８−４】
2008157002.tif 000016
【図８−５】
2008157002.tif 000017
【図９】
2008157002.tif 000018
【図１０】
2008157002.tif 000019
【図１１】
2008157002.tif 000020
【図１２】
2008157002.tif 000021
【図１３−１】
2008157002.tif 000022
【図１３−２】
2008157002.tif 000023
【図１４】
2008157002.tif 000024
【図１５】
2008157002.tif 000025
【図１６】
2008157002.tif 000026
【図１７】
2008157002.tif 000027
【図１８】
2008157002.tif 000028
【図１９】
2008157002.tif 000029
【図２０】
2008157002.tif 000030
【図２１】
2008157002.tif 000031
【図２２】
2008157002.tif 000032
【図２３】
2008157002.tif 000033
【図２４】
2008157002.tif 000034
【図２５】
2008157002.tif 000035
【図２６】
2008157002.tif 000036
【図２７】
2008157002.tif 000037
【図２８】
2008157002.tif 000038
【図２９】
2008157002.tif 000039
【図３０】
2008157002.tif 000040
【図３１】
2008157002.tif 000041
【図３２】
2008157002.tif 000042
【図３３】
2008157002.tif 000043